(57)【要約】      （修正有）【課題】焼成した貝殻の粉末の殺菌作用や細菌の増殖を抑制する作用を有する液体を噴霧する液体噴霧器を提供する。【解決手段】容器１０に収容された液体Ｓを、液体Ｓに先端が浸漬されたチューブ１１を介してノズル１４から霧状に噴出させる液体噴霧器１であって、液体Ｓには、焼成貝殻粉末Ｐが添加されており、チューブ１１の先端には、液体Ｓを通過させるが焼成貝殻粉末Ｐは通過させないストレーナ２１が取り付けられている。【選択図】図１
0003172527.tif 000002
【実用新案登録請求の範囲】
【請求項１】
容器に収容された液体を、該液体に先端が浸漬されたチューブを介してノズルから霧状に噴出させる液体噴霧器であって、
前記液体には、焼成した貝殻の粉末が添加されており、
前記チューブの先端には、前記液体を通過させるが前記粉末は通過させないストレーナが取り付けられている
ことを特徴とする液体噴霧器。
【請求項２】
容器に収容された液体を、該液体に先端が浸漬されたチューブを介してノズルから霧状に噴出させる液体噴霧器であって、
前記液体には、焼成した貝殻の粉末が、前記液体を通過させるが前記粉末は通過させない袋体に収容された状態で浸漬されている
ことを特徴とする液体噴霧器。
【請求項３】
容器に収容された液体を、該液体に先端が浸漬されたチューブを介してノズルから霧状に噴出させる液体噴霧器であって、
前記液体は、焼成した貝殻の粉末の溶液である
ことを特徴とする液体噴霧器。
【請求項４】
前記液体は、ｐＨが１０〜１３である
ことを特徴とする請求項１乃至請求項３の何れか一つに記載の液体噴霧器。
【考案の詳細な説明】
【技術分野】
【０００１】
本考案は、殺菌作用や細菌の増殖を抑制する作用を有する液体を噴霧する液体噴霧器に関するものである。
【背景技術】
【０００２】
焼成した貝殻の粉末が殺菌作用を示すことが、種々報告されている（例えば、非特許文献１参照）。貝殻の主成分である炭酸カルシウムは、高温で焼成することにより酸化カルシウムとなる。この酸化カルシウムの水和によるｐＨの上昇が、殺菌作用を示す主な要因であると言われており、ｐＨの上昇に伴い殺菌作用が増大することが報告されている。しかしながら、同じｐＨ値を示す水酸化ナトリウム溶液と比べて、殺菌作用がかなり高いとの報告がなされており、焼成した貝殻の粉末が示す殺菌作用には、高アルカリ性を呈すること以外の、何らかの機構があると考えられている。
【０００３】
一方、貝から可食部分が除去された後、貝殻は産業廃棄物として廃棄対象となるが、その量は年間数十万トン以上にのぼると言われている。本考案者は、焼成した貝殻の粉末が示す上記の殺菌作用に着目し、廃棄対象とされている貝殻を資源として有効に活用すべきであるとの考えから、焼成した貝殻の粉末を使用した新規な物品を種々考案している。本考案は、その一つとしてなされたものである。
【考案の概要】
【考案が解決しようとする課題】
【０００４】
本考案は、焼成した貝殻の粉末を使用した新規な物品として、殺菌作用や細菌の増殖を抑制する作用を有する液体を噴霧する液体噴霧器の提供を課題とする。
【課題を解決するための手段】
【０００５】
上記課題を解決するため、本考案にかかる液体噴霧器は、「容器に収容された液体を、該液体に先端が浸漬されたチューブを介してノズルから霧状に噴出させる液体噴霧器であって、前記液体には、焼成した貝殻の粉末が添加されており、前記チューブの先端には、前記液体を通過させるが前記粉末は通過させないストレーナが取り付けられている」ものである。
【０００６】
貝殻の粉末の結晶相をＸ線回折で同定すると、未焼成の貝殻の主成分は炭酸カルシウムであるが、７００℃以上の加熱により酸化カルシウムの回折ピークが認められるようになり、１０００℃以上の加熱でほぼ酸化カルシウムの単一相となる。従って、「焼成した貝殻の粉末」の焼成温度は、１０００℃以上とすることが望ましい。
【０００７】
「貝殻」に使用する貝の種類は特に限定されず、ホタテ貝、カキ、ホッキ貝、ハマグリ、アサリ等を使用可能である。わが国では、産業廃棄物として廃棄対象となる貝殻は、ホタテ貝が最も多く全体の６割以上を占めると言われているため、資源の有効利用の点で、ホタテ貝の貝殻を用いることが望ましい。
【０００８】
「容器に収容された液体を、該液体に先端が浸漬されたチューブを介してノズルから霧状に噴出させる」構成としては、高圧のガスを噴射剤として耐圧容器内に液体と共に封入し、噴射剤の圧力で液体をノズルから噴射させる高圧ガス式の構成であっても、手操作でレバーやボタンを往復動させ、容器内に空気を送入してノズルから液体を噴出させる手動ポンプ式の構成であっても良い。
【０００９】
上記構成の液体噴霧器では、焼成した貝殻の粉末（以下、「焼成貝殻粉末」と称することがある）が溶解した液体がノズルから噴霧される。焼成貝殻粉末が溶解した液体は、殺菌作用及び細菌の増殖を抑制する作用を要するため、極めて手軽に、液体が噴霧された環境を殺菌し、細菌の増殖を抑制することができる。
【００１０】
加えて、液体噴霧器の容器には、焼成した貝殻が粉末のまま液体に添加されているため、溶液の濃度は容器内で飽和濃度または飽和に近い濃度となる。焼成貝殻粉末による殺菌作用は、溶液の濃度が高いほど大きい。従って、本構成の液体噴霧器は、液体が噴霧された環境を殺菌し、細菌の増殖を抑制する作用に優れている。
【００１１】
また、チューブの先端に液体を通過させるが焼成貝殻粉末は通過させないストレーナが取り付けられているため、液体を粉焼成貝殻末から分離することができ、ノズルの詰まりを防止して液体を噴霧することができる。
【００１２】
そして、焼成貝殻粉末は、古くから「貝殻焼成カルシウム」として食品添加物として使用されているものであり、体内に採り込まれても問題がない。従って、本考案の液体噴霧器は、生活空間内で安心して使用することができる。
【００１３】
本考案にかかる液体噴霧器は、上記構成に替えて、「容器に収容された液体を、該液体に先端が浸漬されたチューブを介してノズルから霧状に噴出させる液体噴霧器であって、前記液体には、焼成した貝殻の粉末が、前記液体を通過させるが前記粉末は通過させない袋体に収容された状態で浸漬されている」ものとすることができる。
【００１４】
本構成の液体噴霧器は、液体を通過させるが焼成貝殻粉末は通過させない袋体に収容された状態で、焼成貝殻粉末が液体に浸漬されているため、焼成貝殻粉末が溶解した液体の濃度が飽和濃度または飽和に近い濃度となると共に、ノズルの詰まりを防止して液体を噴霧することができる。
【００１５】
本考案にかかる液体噴霧器は、上記構成に替えて、「容器に収容された液体を、該液体に先端が浸漬されたチューブを介してノズルから霧状に噴出させる液体噴霧器であって、前記液体は、焼成した貝殻の粉末の溶液である」ものとすることができる。
【００１６】
本構成の液体噴霧器では、「液体」として、予め焼成貝殻粉末を溶媒に溶解させた溶液が使用される。これにより、液体噴霧器の容器内で焼成貝殻粉末を液体と分離する構成を必要とすることなく、ノズルの詰まりを防止して液体を噴霧することができる。
【００１７】
本考案にかかる液体噴霧器は、上記構成に加えて、「前記液体は、ｐＨが１０〜１３である」ものとすることができる。
【００１８】
上述のように、焼成貝殻粉末が示す殺菌作用には、高アルカリ性を呈すること以外の何らかの機構があると考えられているものの、殺菌作用はｐＨの上昇に伴い増大する。本構成の液体噴霧器では、容器に収容された液体のｐＨが１０〜１３と大きいため、殺菌作用及び細菌の増殖を抑制する作用が高い液体を、噴霧することができる。
【考案の効果】
【００１９】
以上のように、本考案によれば、焼成した貝殻の粉末を使用した新規な物品として、殺菌作用や細菌の増殖を抑制する作用を有する液体を、噴霧する液体噴霧器を提供することができる。
【図面の簡単な説明】
【００２０】
【図１】本考案の第一実施形態の液体噴霧器の縦断面図である。
【図２】本考案の第二実施形態の液体噴霧器の縦断面図である。
【考案を実施するための形態】
【００２１】
以下、本考案の第一実施形態である液体噴霧器１について、図１を用いて説明する。液体噴霧器１は、容器１０に収容された液体Ｓを、液体Ｓに先端が浸漬されたチューブ１１を介してノズル１４から霧状に噴出させる液体噴霧器であって、液体Ｓには、焼成貝殻粉末Ｐが添加されており、チューブ１１の先端には、液体Ｓを通過させるが焼成貝殻粉末Ｐは通過させないストレーナ２１が取り付けられている。
【００２２】
より詳細に説明すると、容器１０は耐圧容器であり、液体Ｓが収容された容器１０の残余の空間には、噴射剤Ｇとしてのガスが圧入されている。液体Ｓに先端が浸漬されたチューブ１１の他端は、バルブ１２を介して、操作部１３に設けられたノズル１４と連通している。ここで、噴射剤Ｇとしては、代替フロン、ジメチルエーテル、窒素、二酸化炭素等の圧縮ガス、圧縮空気、ＬＰガスを使用可能である。
【００２３】
焼成貝殻粉末Ｐとして、本実施形態では、ホタテ貝の貝殻を１１００℃以上の温度で焼成し粉砕した粉末を使用している。この粉末の粒子径（直径）は、レーザー回折・散乱式粒子径分布測定装置（日機装株式会社製、マイクロトラックＭＴ３３００）で測定した結果、メディアン径として約３０μｍであった。
【００２４】
液体Ｓは、溶媒に焼成貝殻粉末Ｐが溶解しているものであるが、溶媒としては、エタノールと水の混合液または水を好適に使用することができる。ここで、貝殻の主成分である炭酸カルシウムは、１１００℃以上の温度で焼成することにより酸化カルシウムとなっているが、酸化カルシウムは水和により水酸化カルシウムとなる。ちなみに、水酸化カルシウムの水に対する溶解度は、２０℃で約０．１６である。
【００２５】
液体噴霧器１では、容器１０内に過剰量（容器１０内の溶媒を飽和させる以上の量）の焼成貝殻粉末Ｐが存在する。そのため、液体Ｓの濃度は飽和濃度となっており、ｐＨ１２以上の高アルカリ性を示す。
【００２６】
上記構成の液体噴霧器１では、操作部１３を押し下げてバルブ１２を開放すると、噴射剤Ｇから圧力を受けている液体Ｓは、噴射剤Ｇと混合した状態でチューブ１１を通り、ノズル１４から噴出する。その際、噴射剤Ｇの急激な膨張により、液体Ｓは細かな霧状となって噴射される。ここで、チューブ１１の先端には、液体Ｓを通過させるが焼成貝殻粉末Ｐは通過させないストレーナ２１が取り付けられているため、未溶解の焼成貝殻粉末Ｐを液体Ｓから分離することができ、ノズル１４の詰まりを防止して液体Ｓを噴出させることができる。なお、ストレーナ２１としては、焼成貝殻粉末Ｐの粒子径より目開きの小さいメッシュ材、焼成貝殻粉末Ｐの粒子径より気孔径の小さい多孔質体を使用することができる。
【００２７】
ノズル１４から噴霧された液体Ｓは、焼成貝殻粉末Ｐが溶解した溶液であり、ｐＨ１２以上の高アルカリ性であるため、液体Ｓが噴霧された環境を効果的に殺菌し、細菌の増殖を抑制することができる。なお、溶媒がエタノールを含む場合は、噴霧された液体Ｓの乾燥が早く、液体Ｓが噴霧された場所のべたつきを抑えることができる。
【００２８】
次に、第二実施形態の液体噴霧器２を、図２を用いて説明する。第一実施形態の液体噴霧器１と相違する点は、チューブ１１の先端にストレーナ２１が取り付けられておらず、その代わりに、液体Ｓを透過させるが焼成貝殻粉末Ｐは透過させない袋体２２に収容された状態で、焼成貝殻粉末Ｐが液体Ｓに浸漬されている点である。かかる袋体２２としては、焼成貝殻粉末Ｐの粒子径より目開きの小さいメッシュシートで形成された袋体、焼成貝殻粉末Ｐの粒子径より気孔径の小さい多孔質シートで形成された袋体を使用することができる。
【００２９】
上記構成の液体噴霧器２では、焼成貝殻粉末Ｐは袋体２２を介して溶出する。従って、袋体２２に過剰量の焼成貝殻粉末Ｐを収容させることにより、液体Ｓの濃度は飽和濃度となり、ｐＨ１２以上の高アルカリ性を示す。また、未溶解の焼成貝殻粉末Ｐは、袋体２２によって液体Ｓから分離されているため、ノズル１４の詰まりを防止して液体Ｓを噴出させることができる。
【００３０】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３１】
例えば、上記では、噴射剤Ｇの圧力により液体Ｓがノズル１４から噴射される高圧ガス式の液体噴霧器１，２を例示したが、これに限定されず、手操作でボタンまたはハンドルを往復動させて容器内に空気を送入することにより、ノズルから液体を噴出させる手動ポンプ式の液体噴霧器とすることができる。このような構成は極めて簡易であるため、低廉に液体噴霧器を製造することができる。加えて、高圧ガス式の場合は、良好な噴霧のためには容器の内容積がある程度以上必要であり小型化が難しいのに対し、手動ポンプ式の場合は小型化が可能であるという利点がある。また、手動ポンプ式の場合は、構成のほとんどを再使用することが可能である。従って、袋体２２に収容された焼成貝殻粉末Ｐを別売し、溶媒として水を使用することにより、詰め替え式の液体噴霧器とすることができる。
【００３２】
また、上記では、過剰量の焼成貝殻粉末Ｐが容器１０内に存在する液体噴霧器１，２を例示したが、これに限定されず、予め溶媒に焼成貝殻粉末を溶解させ、飽和濃度または飽和濃度に近い濃度となった液体のみが、容器に収容された構成の液体噴霧器とすることもできる。
【符号の説明】
【００３３】
１，２  液体噴霧器
１０  容器
１１  チューブ
１２  バルブ
１３  操作部
１４  ノズル
２１  ストレーナ
２２  袋体
Ｐ  焼成貝殻粉末（焼成した貝殻の粉末）
Ｓ  液体
Ｇ  噴射剤
【先行技術文献】
【非特許文献】
【００３４】
【非特許文献１】澤井  淳、五十嵐  英夫、菊池  幹夫、「加熱処理した貝殻粉末の抗菌活性を応用した微生物制御」、日本食品微生物学会雑誌、２００３年、第２０巻、第１号、ｐ．１−７
【図１】
0003172527.tif 000003
【図２】
0003172527.tif 000004